【事件の表示】
　特願２００４−　５７４９１「ＰＤＰ表示装置、ＰＤＰ表示方法」拒絶査定不服審判事件〔平成１７年　９月１５日出願公開、特開２００５−２４９９２８〕について、次のとおり審決する。
【結　論】
　本件審判の請求は、成り立たない。
【理　由】
１　手続の経緯
　本願は、平成１６年３月２日に出願した特許出願であって、平成１９年１２月２８日付けで明細書、特許請求の範囲又は図面についての手続補正（以下、「補正１」という。）がなされ、平成２０年１月２９日付け（送達　同年２月５日）で拒絶査定がなされ、これに対し、同年５月７日に拒絶査定不服審判の請求がなされたものである。
　
２　本願発明について
　本願の請求項４に係る発明（以下「本願発明」という。）は、補正１により補正された明細書、特許請求の範囲及び図面の記載からみて、請求項４に記載された事項により特定されるものであるところ、その記載は以下のとおりである。
　
「　サブフィールド方式のＰＤＰ表示方法において、
　入力する映像信号の垂直周期に基づいて、サブフィールドシーケンス及び当該サブフィールドシーケンスに対応するサステインパルス数を決定し、
　当該決定したフレーム毎に異なるサブフィールドシーケンス及び対応するサステインパルス数をＰＤＰ駆動回路に出力して、サブフィールドデータに変換された映像信号の発光重心をフレーム毎に前に移動させた映像を表示し、
　各サブフィールドのサステインパルス数を最大のサステインパルス数まで単調に増加させたテーブルにおいて、各サブフィールドの点灯順番を前にずらしたテーブルにより、各サブフィールドシーケンスに対応するサステインパルス数を決定する
　ことを特徴とするＰＤＰ表示方法。」
　
３　先願発明
　原査定の拒絶の理由に引用された、本願の出願日前の他の出願（優先日：２００３年９月４日、出願日：平成１６年９月３日）（以下、「先願」という。）であって、その出願後に出願公開された、特願２００４−２５６５００号(特開２００５−８４６８５号公報）の願書に最初に添付した明細書、特許請求の範囲又は図面（以下「先願明細書」という。）には、「プラズマディスプレイパネルの駆動方法」（発明の名称）に関して、図面とともに以下の記載がある。
　
　なお、先願は、２００３年９月４日付け韓国出願１０−２００３−００６１６５３号を基礎としたパリ条約による優先権主張を伴うものであり、この明細書及び図面にも、下記、記載事項１ないし９の事項、及び、図３ないし４が記載されているから、これらの事項から認定できる発明は、優先権主張の効果を享受できるものである。
　
＜記載事項１＞
「【０００１】
　本発明は、プラズマディスプレイパネルに関し、特に、５０Ｈｚ駆動方式において動画ノイズを除去することができるプラズマディスプレイパネルの駆動方法に関する。」
　
＜記載事項２＞
「【０００２】
　近年、フラットなディスプレイ装置として、大面積パネルを容易に実現可能なプラズマディスプレイパネル（Ｐｌａｓｍａ　Ｄｉｓｐｌａｙ　Ｐａｎｅｌ：以下「ＰＤＰ」と略する）が注目されている。ＰＤＰは、通常、デジタルビデオデータに応じて各画素の放電期間を調節することで画像を表示する。
（略）」
　
＜記載事項３＞
「【０００３】
　このようなＰＤＰとしては、３電極を備え、交流電圧で駆動される交流型ＰＤＰが代表的に挙げられる。前記交流型ＰＤＰは、画像を表示するためＡＤＳ（Ａｄｄｒｅｓｓ−Ｄｉｓｐｌａｙ　Ｓｅｐａｒａｔｅｄ）駆動方式で駆動される。このようなＡＤＳ駆動方式は、サブフィールドの順序、輝度重み付け値およびサステインパルスの個数に応じて希望の階調を表現することができる。」
　
＜記載事項４＞
「【０００５】
　図１は、従来のＰＤＰ駆動方式の一例を示す断面図である。
（中略）
このように５０Ｈｚで駆動される２０ｍｓフレームを１００Ｈｚで駆動される２つの１０ｍｓフレームに変調することで、５０Ｈｚ駆動方式で発生する広域の画面のちらつき現象であるラージエリアフリッカーを防止することができ、また、１００Ｈｚ駆動による隣接したメインフレームにより網膜に蓄積されるサブフィールド重み付け値（ｓｕｂ−ｆｉｅｌｄ　ｗｅｉｇｈｔ）を効果的に分散させてダイナミック擬似輪郭を相殺させることができる。」
　
＜記載事項５＞
「【００１６】
　本発明は、従来の５０Ｈｚ駆動方式において発生するフリッカーおよび擬似輪郭の問題を解決するために提案されたものである。それで、本発明では、５０Ｈｚの５つのフレームを６０Ｈｚの６つのフレームに再配列し、駆動方式は、そのまま５０Ｈｚ駆動方式を採りながら仮想の６０Ｈｚで駆動されるようにする。
　このため、ＰＤＰを駆動するための駆動システム内のメモリ上に５０Ｈｚの５つのフレームに対応する５つのマッピングテーブルを備えることができる。」
　
＜記載事項６＞
「【００１７】
　図３は、本発明に係る輝度重み付け値を含むマッピングテーブルの一例を示す例示図である。
（中略）
従って、５０Ｈｚ駆動される５つのフレームを入力され、このような５つのフレームを各マッピングテーブルに設定されたフレームを参照して所定の階調を表現するようになる。」
　
＜記載事項７＞
「【００１９】
　各マッピングテーブルに設定されたフレームのそれぞれには、１２つの輝度重み付け値が設けられている。従って、５つのフレームには、全部で６０の輝度重み付け値が設けられる。このとき、第１のフレームと第５のフレームのそれぞれには、６０Ｈｚの１フレームを構成することができる輝度重み付け値（１−２−４−４−８−１６−３０−４０−４５）と６０Ｈｚの他のフレームの一部を構成することができる輝度重み付け値（１−２または４０−４５）とが設定される。また、第２乃至第４のフレームには、６０Ｈｚの１つのフレームの一部および６０Ｈｚの他のフレームの一部を構成することができる輝度重み付け値が設定されている。例えば、第２のフレームには、輝度重み付け値（４−４−８−１６−３０−３５−４０−４５−１−２−４−４）が設けられ、第３のフレームには、輝度重み付け値（８−１６−３０−３５−４０−４５−１−２−４−４−８−１６）が設けられ、第４のフレームには、輝度重み付け値（３０−３５−４０−４５−１−２−４−４−８−１６−３０−３５）が設けられる。」
　
＜記載事項８＞
「【００２４】
　図４（ａ）および図４（ｂ）は、本発明に係るプラズマディスプレイパネルの駆動方法において、フレームが再配列される様子を説明するための図である。ここで、図４（ａ）は、５０Ｈｚの５つのフレームを配列する様子を示し、図４（ｂ）は、５０Ｈｚの５つのフレームから６０Ｈｚの６つのフレームに再配列させる様子を示す。
　図４（ａ）に示されたように、５０Ｈｚ駆動される場合は、垂直同期信号（Ｖｓｙｎｃ）毎に１フレームずつ入力され、マッピングテーブルに設定されたフレームの輝度重み付け値を適用して階調を画面上に表示するようになる。このとき、前記マッピングテーブルに設定された各フレームには、図３でのように、１２つの輝度重み付け値が設けられている。
（略）」
　
＜記載事項９＞
「【００３１】
　以上のように、本発明のプラズマディスプレイパネルの駆動方法によれば、５０Ｈｚの光中心を６０Ｈｚの光中心になるように変換させることで、即ち、フレーム周期を２０ｍｓから１６．６７ｍｓに短くすることで、フリッカー現象が認知されない程度に時間を短縮して画面のちらつきのようなフリッカー現象をなくすことができる。
　また、従来、５０Ｈｚのフレームを２つの１００Ｈｚフレームに分割することによる二重擬似輪郭をなくすこともできる。」
　
　上記記載事項１ないし９、及び、図３ないし４から、以下の（ア）ないし（ケ）の事項を読み取ることができる。
　
・記載事項７の「６０Ｈｚの１フレームを構成することができる輝度重み付け値（１−２−４−４−８−１６−３０−４０−４５）」との記載は、その後の記載事項や図３を参酌すれば、「（１−２−４−４−８−１６−３０−３５−４０−４５）」から「３５−」が抜け落ちた誤記であることは明らかであるから、
（ア）６０Ｈｚの１フレームを構成することができる輝度重み付け値は、（１−２−４−４−８−１６−３０−３５−４０−４５）である点。
　
・記載事項１〜３から、
（イ）プラズマディスプレイパネルは、サブフィールドの順序、輝度重み付け値およびサステインパルスの個数に応じて希望の階調を表現することができるＡＤＳ駆動方式で駆動される点。
　
・記載事項３、５から、画像を表示するためのプラズマディスプレイパネルの駆動方式が、５０Ｈｚ駆動方式であることから、
（ウ）５０Ｈｚは、画像信号の垂直周期である点。
　
・記載事項５及び図３から、
（エ）画像信号の垂直周期（５０Ｈｚ）に基づいて、５つのマッピングテーブル及び該マッピングテーブルに対応する輝度重み付け値を設定している点。
　
・記載事項５、６及び図３から、
（オ）５つのマッピングテーブルは、（画像の）フレーム毎に異なるマッピングテーブルである点。
　
・記載事項９における「光中心」とは、元の画像信号が、マッピングテーブルに基づいてサブフィールドデータに変換された画像信号における「光中心」であることは、技術的にも明らかであるから、
（カ）「光中心」とは、サブフィールドデータに変換された画像信号の「光中心」である点。
　
・記載事項７、９及び図３、４から、第１のマッピングテーブルにおける６０Ｈｚの光中心が、第２のマッピングテーブルにおいて前に移動していること、また同様に、第２に対する第３、第３に対する第４、第４に対する第５のマッピングテーブルにおいて、６０Ｈｚの光中心が、それぞれ前に移動していることは明らかであるから、
（キ）フレーム毎に異なるマッピングテーブル及び対応する輝度重み付け値を用いて、サブフィールドデータに変換された画像信号の光中心をフレーム毎に前に移動させた画像を表示する点。
　
・記載事項７及び図３から、「６０Ｈｚの１フレームを構成することができる輝度重み付け値（１−２−４−４−８−１６−３０−３５−４０−４５）」は、輝度重み付け値が１から４５まで、減少せずに増加する並びとなっていることから、
（ク）６０Ｈｚの１フレームを構成することができる輝度重み付け値の並びは、最大の輝度重み付け値（４５）まで減少せずに増加させた並びで構成される点。
　
・記載事項３、７及び図３から、
（ケ）６０Ｈｚの１フレームを構成することができる輝度重み付け値（１−２−４−４−８−１６−３０−３５−４０−４５）の並びから、その一部を取り出して設定された輝度重み付け値（４−４−８−１６−３０−３５−４０−４５）、（８−１６−３０−３５−４０−４５）及び（３０−３５−４０−４５）の並びを用いて、第２、第３及び第４のマッピングテーブルの輝度重み付け値を設定する点。
　
　したがって、上記記載事項１ないし９、及び、図３ないし４に基づけば、先願明細書には、
「サブフィールドの順序、輝度重み付け値およびサステインパルスの個数に応じて希望の階調を表現することができるＡＤＳ駆動方式で駆動される、プラズマディスプレイパネルの駆動方法において、
　画像信号の垂直周期（５０Ｈｚ）に基づいて、５つのマッピングテーブル及び当該マッピングテーブルに対応する輝度重み付け値を設定し、
　当該設定した、フレーム毎に異なるマッピングテーブル及び対応する輝度重み付け値を用いて、サブフィールドデータに変換された画像信号の光中心をフレーム毎に前に移動させた画像を表示し、
　各マッピングテーブルの輝度重み付け値を最大の輝度重み付け値まで減少せずに増加させた、６０Ｈｚの１フレームを構成することができる輝度重み付け値（１−２−４−４−８−１６−３０−３５−４０−４５）の並びから、その一部を取り出して設定された輝度重み付け値（４−４−８−１６−３０−３５−４０−４５）、（８−１６−３０−３５−４０−４５）及び（３０−３５−４０−４５）の並びを用いて、第２、第３及び第４のマッピングテーブルの輝度重み付け値を設定する
　ことを特徴とするプラズマディスプレイパネルの駆動方法。」の発明（以下、「先願発明」という。）が記載されている。
　
４　対比
　本願発明と先願発明とを比較する。
　
（１−１）先願発明の対象である「プラズマディスプレイパネルの駆動方法」は、プラズマディスプレイの表示を駆動する方法であるから、本願発明の対象である「ＰＤＰ表示方法」に相当する。また、先願発明の「サブフィールドの順序、輝度重み付け値およびサステインパルスの個数に応じて希望の階調を表現することができるＡＤＳ駆動方式」は、サブフィールドを用いていることから、本願発明の「サブフィールド方式」に相当する。
　
（１−２）したがって、
　先願発明の「サブフィールドの順序、輝度重み付け値およびサステインパルスの個数に応じて希望の階調を表現することができるＡＤＳ駆動方式で駆動される、プラズマディスプレイパネルの駆動方法において、」は、
　本願発明の「サブフィールド方式のＰＤＰ表示方法において、」に相当する。
　
（２−１）先願発明の「画像信号の垂直周期（５０Ｈｚ）」は、本願発明の「入力する映像信号の垂直周期」に、以下同様に、「マッピングテーブル」は「サブフィールドシーケンス」に、「輝度重み付け値」は「サステインパルス数」に、「設定し」は「決定し」に、それぞれ相当する。
　
（２−２）したがって、
　先願発明の「画像信号の垂直周期（５０Ｈｚ）に基づいて、５つのマッピングテーブル及び当該マッピングテーブルに対応する輝度重み付け値を設定し、」は、
　本願発明の「入力する映像信号の垂直周期に基づいて、サブフィールドシーケンス及び当該サブフィールドシーケンスに対応するサステインパルス数を決定し、」に相当する。
　
（３−１）先願発明の「サブフィールドデータに変換された画像信号」は、本願発明の「サブフィールドデータに変換された映像信号」に相当し、以下同様に、「画像信号の光中心」は「映像信号の発光重心」に、「画像」は「映像」に、それぞれ相当する。
　
（３−２）先願発明において、マッピングテーブル及び対応する輝度重み付け値を用いて画像を表示するためには、該「マッピングテーブル及び対応する輝度重み付け値」を、プラズマディスプレイパネルを駆動するための回路に出力していることは明らかである。
　
（３−３）したがって、
　先願発明の「当該設定した、フレーム毎に異なるマッピングテーブル及び対応する輝度重み付け値を用いて、サブフィールドデータに変換された画像信号の光中心をフレーム毎に前に移動させた画像を表示し、」は、
　本願発明の「当該決定したフレーム毎に異なるサブフィールドシーケンス及び対応するサステインパルス数をＰＤＰ駆動回路に出力して、サブフィールドデータに変換された映像信号の発光重心をフレーム毎に前に移動させた映像を表示し、」に相当する。
　
（４−１）先願発明の、「各マッピングテーブルの輝度重み付け値」は、本願発明の「各サブフィールドのサステインパルス数」に相当する。
　
（４−２）先願発明の「輝度重み付け値を最大の輝度重み付け値まで減少せずに増加させた６０Ｈｚの１フレームを構成することができる輝度重み付け値（１−２−４−４−８−１６−３０−３５−４０−４５）の並び」は、その値が一度も減少せずに増加している並びであることから、この輝度重み付け値の並びが「単調に増加」していることは明らかであるので、本願発明の「サステインパルス数を最大のサステインパルス数まで単調に増加させたテーブル」に相当する。
　
（４−３）本願発明の「各サブフィールドの点灯順番を前にずらしたテーブル」とは、「各サブフィールドのサステインパルス数を最大のサステインパルス数まで単調に増加させたテーブル」の点灯順番を前にずらしたテーブルであることは、明らかである。
　一方、先願発明において、６０Ｈｚの１フレームを構成することができる輝度重み付け値（１−２−４−４−８−１６−３０−３５−４０−４５）の並びに対し、その一部を取り出して設定された輝度重み付け値（４−４−８−１６−３０−３５−４０−４５）、（８−１６−３０−３５−４０−４５）、及び、（３０−３５−４０−４５）の並びは、輝度重み付け値（１−２−４−４−８−１６−３０−３５−４０−４５）の並びを、それぞれ、２つ前にずらした並び、４つ前にずらした並び、及び、６つ前にずらした並びとなっていることは明らかであるから、
　先願発明の「その一部を取り出して設定された輝度重み付け値（４−４−８−１６−３０−３５−４０−４５）、（８−１６−３０−３５−４０−４５）及び（３０−３５−４０−４５）の並び」は、
　本願発明の「各サブフィールドの点灯順番を前にずらしたテーブル」に相当する。
　
（４−４）先願発明の「第２、第３及び第４のマッピングテーブルの輝度重み付け値を設定する」は、本願発明の「各サブフィールドシーケンスに対応するサステインパルス数を決定する」に、相当する。
　
（４−５）したがって、
　先願発明の「各マッピングテーブルの輝度重み付け値を最大の輝度重み付け値まで減少せずに増加させた、６０Ｈｚの１フレームを構成することができる輝度重み付け値（１−２−４−４−８−１６−３０−３５−４０−４５）の並びから、その一部を取り出して設定された輝度重み付け値（４−４−８−１６−３０−３５−４０−４５）、（８−１６−３０−３５−４０−４５）及び（３０−３５−４０−４５）の並びを用いて、第２、第３及び第４のマッピングテーブルの輝度重み付け値を設定する」は、
　本願発明の「各サブフィールドのサステインパルス数を最大のサステインパルス数まで単調に増加させたテーブルにおいて、各サブフィールドの点灯順番を前にずらしたテーブルにより、各サブフィールドシーケンスに対応するサステインパルス数を決定する」に、相当する。
　
（５）以上をまとめると、
　先願発明の
「サブフィールドの順序、輝度重み付け値およびサステインパルスの個数に応じて希望の階調を表現することができるＡＤＳ駆動方式で駆動される、プラズマディスプレイパネルの駆動方法において、
　画像信号の垂直周期（５０Ｈｚ）に基づいて、５つのマッピングテーブル及び当該マッピングテーブルに対応する輝度重み付け値を設定し、
　当該設定した、フレーム毎に異なるマッピングテーブル及び対応する輝度重み付け値を用いて、サブフィールドデータに変換された画像信号の光中心をフレーム毎に前に移動させた画像を表示し、
　各マッピングテーブルの輝度重み付け値を最大の輝度重み付け値まで減少せずに増加させた、６０Ｈｚの１フレームを構成することができる輝度重み付け値（１−２−４−４−８−１６−３０−３５−４０−４５）の並びから、その一部を取り出して設定された輝度重み付け値（４−４−８−１６−３０−３５−４０−４５）、（８−１６−３０−３５−４０−４５）及び（３０−３５−４０−４５）の並びを用いて、第２、第３及び第４のマッピングテーブルの輝度重み付け値を設定する
　ことを特徴とするプラズマディスプレイパネルの駆動方法。」は、
　本願発明の
「サブフィールド方式のＰＤＰ表示方法において、
　入力する映像信号の垂直周期に基づいて、サブフィールドシーケンス及び当該サブフィールドシーケンスに対応するサステインパルス数を決定し、
　当該決定したフレーム毎に異なるサブフィールドシーケンス及び対応するサステインパルス数をＰＤＰ駆動回路に出力して、サブフィールドデータに変換された映像信号の発光重心をフレーム毎に前に移動させた映像を表示し、
　各サブフィールドのサステインパルス数を最大のサステインパルス数まで単調に増加させたテーブルにおいて、各サブフィールドの点灯順番を前にずらしたテーブルにより、各サブフィールドシーケンスに対応するサステインパルス数を決定する
　ことを特徴とするＰＤＰ表示方法。」の点で一致し、相違点はない。
　
５　むすび
　したがって、本願発明は先願発明と同一であると認められ、しかも、本願発明をした者が先願に係る発明の発明者と同一の者であるとも、また本願の出願の時にその出願人と当該先願の出願人とが同一の者であるとも認められないから、本願発明は、特許法第２９条の２の規定により特許を受けることができない。
　
　したがって、他の請求項に係る発明について審理するまでもなく、本願は拒絶すべきものである。
　
　よって、結論のとおり審決する。